(57)【要約】【課題】高い運転効率および運転能力を保持しつつ、内部熱交換器の熱交換量を従来よりも高めることができる冷凍サイクル装置を提供する。【解決手段】冷凍サイクル内を循環する冷媒が管内を蒸発器出口から圧縮機入口へと流れる内管３２と、前記冷媒が管内を凝縮器出口から蒸発器入口へと流れる外管３１とからなる二重管式内部熱交換器を有し、外管３１と内管３２との間の外側空間Ｓ１を流れる高温高圧の液相冷媒の一部を、内管３２内の内側空間Ｓ２にバイパスさせるバイパス通路Ｂ１を、気相冷媒流入管８の端部の小径部８Ａを内管３２の端部内側に嵌挿し、気相冷媒流入管８と内管３２との軸方向にオーバーラップさせた管壁相互間に形成した。【選択図】図３
2012163281.tif 000002
【特許請求の範囲】
【請求項１】
冷凍サイクルにおける、蒸発器出口から圧縮機入口へと流れる低温低圧冷媒と、凝縮器出口から蒸発器入口へと流れる高温高圧冷媒との、いずれか一方を内管の内側空間に流通させ、他方を前記内管と外管との間の空間に流通させた二重管式内部熱交換器を配設すると共に、
前記内管の一部に、管壁同士を軸方向にオーバーラップさせると共に、前記内管内の内側空間と、内管と外管との間の外側空間と、を、前記オーバーラップされた管壁間を経由して連通させたバイパス通路を形成し、前記高温高圧冷媒の一部が前記バイパス通路を介して減圧膨張されつつ前記低温低圧冷媒が流通する空間に該低温低圧冷媒の流通方向と同一方向に流出する構成としたことを特徴とする冷凍サイクル装置。
【請求項２】
前記内管を前記熱交換器内部において軸方向に分割し、該分割した２本の内管の端部の管壁同士を軸方向にオーバーラップさせている請求項１に記載の冷凍サイクル装置。
【請求項３】
前記オーバーラップ部分は、前記分割した２本の内管の相対向する周壁の少なくとも一方に軸方向に延びる溝が、周方向に複数本配設されている請求項２に記載の冷凍サイクル装置。
【請求項４】
前記分割した２本の内管は、一方の内管の端部が屈曲形成されて他方の内管の端部に軸方向にオーバーラップし、該オーバーラップ部分以外は、管径が等しく形成されている請求項２または請求項３に記載の冷凍サイクル装置。
【請求項５】
前記バイパス通路は、前記内部熱交換器の高温高圧冷媒出口側で、低温低圧冷媒の入口側に配設される請求項１〜請求項４のいずれか１つに記載の冷凍サイクル装置。
【請求項６】
前記高温高圧冷媒の一部は、前記バイパス通路上流側の高温高圧冷媒流量の５〜３５％に設定されている請求項１〜請求項５のいずれか１つに記載の冷凍サイクル装置。
【発明の詳細な説明】
【技術分野】
【０００１】
本発明は、車両用空調装置の蒸気圧縮式冷凍サイクル等に用いられる、内部熱交換器を有する冷凍サイクル装置に関する。
【背景技術】
【０００２】
二酸化炭素等の冷媒を用いて冷暖房運転を行うヒートポンプサイクルにおいて、特許文献１に記載されるような内部熱交換器を有するものが知られている。このようなサイクル装置においては、高温高圧の液相冷媒と低温低圧の気相冷媒との間で熱交換を行うことによって、蒸発器入口冷媒の比エンタルピを減少させ、冷凍効果を増加させることでサイクルの効率および能力の向上が図られている。
【先行技術文献】
【特許文献】
【０００３】
【特許文献１】特許第４２３９２５６号公報
【発明の概要】
【発明が解決しようとする課題】
【０００４】
従来の冷凍サイクル装置に使用される内部熱交換器においては、熱交換量を増やし過ぎると、圧縮機の吸入過熱度が異常に高くなり、圧縮機および吐出ホースの耐久性に悪影響を及ぼす恐れがあった。このような悪影響を回避するために、内部熱交換器を運転するにあたっては、圧縮機の吸入過熱度を所定範囲内に抑えることができる程度に熱交換量の上限を設定する必要があり、運転効率及び運転能力を十分に高めることができなかった。
【０００５】
本発明は、圧縮機の吸入過熱度を小さく抑制しつつ、内部熱交換器における熱交換量を増大させて、運転効率および運転能力をできる限り高めることができる冷凍サイクル装置を提供することを目的とする。
【課題を解決するための手段】
【０００６】
上記課題を解決するために、本発明に係る冷凍サイクル装置は、
冷凍サイクルにおける、蒸発器出口から圧縮機入口へと流れる低温低圧冷媒と、凝縮器出口から蒸発器入口へと流れる高温高圧冷媒との、いずれか一方を内管の内側空間に流通させ、他方を前記内管と外管との間の空間に流通させた二重管式内部熱交換器を配設すると共に、
内管の一部に、管壁同士を軸方向にオーバーラップさせると共に、内管内の内側空間と、内管と外管との間の外側空間と、を、前記オーバーラップされた管壁間を経由して連通させたバイパス通路を形成し、高温高圧冷媒の一部が前記バイパス通路を介して減圧膨張されつつ前記低温低圧冷媒が流通する空間に該低温低圧冷媒の流通方向と同一方向に流出する構成とした。
【発明の効果】
【０００７】
このような本発明の冷凍サイクル装置においては、内部熱交換器内において、凝縮器を通過した後の高温高圧側の液相冷媒の一部がバイパス通路を介して減圧膨張されつつ２相冷媒となって低温低圧側冷媒が流通する管内の空間に流入する。
【０００８】
これにより、蒸発器を通過した後の低温低圧の気相冷媒に２相冷媒が加わり、該２相冷媒の蒸発潜熱によって高温高圧冷媒がより効果的に冷却され蒸発器での熱交換量を増大することができる。
【０００９】
一方、２相冷媒による高い冷却機能によって気相冷媒の温度上昇も抑制され、蒸発器出口、圧縮機入口の過熱度を減少させることができ、圧縮機の性能劣化を抑制できると共に、吸入冷媒密度を高めて運転効率をより高めることができる。
【００１０】
また、高温高圧の液相冷媒の一部をバイパスさせることにより、蒸発器を通過する冷媒流量を減少させて、蒸発器における冷媒の圧力損失を抑制し、冷凍能力およびサイクル効率を高めることが可能となる。
【００１１】
さらに、高温高圧側冷媒の一部を低温低圧側冷媒の流通方向と平行に流出させた構成により、該流出による圧力損失を抑制できる。さらには、高温高圧側冷媒のバイパス流量、流出速度を適度に調整することにより、エジェクタ効果を持たせることも可能となり、その場合は、低温低圧側冷媒を圧縮機に吸引搬送する動力源の一部となって寄与し、冷凍サイクルの省動力を実現できる。
【図面の簡単な説明】
【００１２】
【図１】本発明の一実施態様に係る冷凍サイクル装置の概略図である。
【図２】図１の冷凍サイクル装置において用いられる内部熱交換器を示す斜視図である。
【図３】上記内部熱交換器におけるバイパス通路周辺部の内部構造の第１の実施形態を示す断面図図［（Ａ）は（Ｂ）のＡ−Ａ矢視断面図、（Ｂ）は縦断面図、（Ｃ）は、二重管の正面図］である。
【図４】同じく内部構造の第２の実施形態を示す図［（Ａ）は（Ｂ）のＡ−Ａ矢視断面図、（Ｂ）は縦断面図］である。
【図５】同じく内部構造の第３の実施形態を示す図［（Ａ）は（Ｂ）のＡ−Ａ矢視断面図、（Ｂ）は縦断面図］である。
【図６】同じく内部構造の第４の実施形態を示す図［（Ａ）は（Ｂ）のＡ−Ａ矢視断面図、（Ｂ）は縦断面図、（Ｃ）は、二重管の正面図］である。
【図７】同じく内部構造の第５の実施形態を示す図［（Ａ）は（Ｂ）のＡ−Ａ矢視断面図、（Ｂ）は縦断面図］である。
【図８】同じく内部構造の第６の実施形態を示す図［（Ａ）は（Ｂ）のＡ−Ａ矢視断面図、（Ｂ）は縦断面図］である。
【図９】同じく内部構造の第７、第８の実施形態を示す縦断面図である。
【図１０】本発明に係る冷凍サイクル装置の冷凍サイクル特性を示す線図である。
【発明を実施するための形態】
【００１３】
以下に、本発明の実施の形態を、図面を参照して説明する。
図１は、本発明の一実施態様に係る冷凍サイクル装置１の概略図である。系内には冷媒が循環しており、凝縮器２から流出した高温高圧の液相冷媒は、二重管式の内部熱交換器３の外管３１と内管３２との間の環状の外側空間を経由し、主として膨張弁１０を通して蒸発器４に流入するが、一部の冷媒は内管３２に形成されたバイパス通路Ｂを介して減圧膨張されつつ蒸発器４をバイパスして内管３２内に流入する。
【００１４】
蒸発器４内で蒸発した冷媒は、蒸発器４から流出した後、内部熱交換器３の内管３２に流入し、前記バイパスした冷媒と合流した後、圧縮機５に流入する。
圧縮機５内で圧縮された冷媒は、凝縮器２に流入して凝縮される。
【００１５】
図２は、図１の冷凍サイクル装置１において用いられる二重管式の内部熱交換器３を示す斜視図である。凝縮器２からの液相冷媒を外管３１内に流入させる液相冷媒流入管６、外管３１内の熱交換後の液層冷媒を膨張弁１０へ流出させる液相冷媒流出管７、蒸発器４からの気相冷媒を内管３２内に流入させる気相冷媒流入管８、内管３２内の熱交換後の気層冷媒を圧縮機５へ流出させる気相冷媒流出管９が接続されている。
【００１６】
図３は、上記内部熱交換器３におけるバイパス通路周辺部の内部構造の第１の実施形態を示す断面図である。
外管３１と内管３２とが径方向に配設されたリブを介して一体に形成された二重管３０の液相冷媒流出側で気相冷媒流入側の開口端部外周壁に、エンドキャップ３３が嵌挿して固定されている。該エンドキャップ３３には、その端壁を貫通して気相冷媒流入管８の端部が固定され、また、周壁を貫通して液相冷媒流出管７の端部が固定されている。なお、気相冷媒流入管８は、内部熱交換器３内部において、内管の一部を構成する。
【００１７】
前記二重管３０の開口端部において、内管３２の端部内周面が、内側に窄まる円錐面状にカットされ、さらに該円錐面を、その周方向等間隔（１２０度毎）に３箇所残して係合面３２ａが形成され、これら係合面３２ａの相互間を軸方向に所定量カットして、連通溝３２ｂが形成されている。
【００１８】
一方、気相冷媒流入管８は、内部熱交換器３内で内管３２の端部に接続される端部が、内管３２の内径より所定量小さい外径の小径部８Ａを有し、該小径部８Ａと、内管３２と等しい内外径を有する大径部８Ｂとを結ぶ部分が、前記係合面３２ａと同一の円錐角を有した円錐部８Ｃに形成されている。
【００１９】
気相冷媒流入管８の円錐部８Ｃの外周面は、内管３２の係合面３２ａに突き合わせて接合され、これにより、気相冷媒流入管８と内管３２の軸心が一致し、内管３２の端部内周面と気相冷媒流入管８の小径部８Ａの端部外周面との間に環状の間隙１１が形成される。
【００２０】
そして、前記連通溝３２ｂと環状の間隙１１とによって、高温高圧冷媒が流通する外管３１と内管３２との間の環状の外側空間Ｓ１と、内管３２内の内側空間Ｓ２とを連通するバイパス通路Ｂ１が形成される。
【００２１】
次に、かかるバイパス通路Ｂ１を形成した内部熱交換器３を備えた冷凍サイクル装置の作用を説明する。
環状空間Ｓ１内を流れる高温高圧の液相冷媒は、内側空間Ｓ２を流れる低温低圧の気相冷媒との間で、内管３２の管壁面を介して熱交換を行う。一方、一部の液相冷媒は、連通溝３２ｂと環状の間隙１１からなるバイパス通路Ｂ１を介して内管３２内の内側空間Ｓ２にバイパスされる。ここで、バイパス通路Ｂ１は、通過する冷媒流れに所定範囲内の流動抵抗が生じるように形成されており、これによって高温高圧冷媒の一部を減圧膨張させて低温低圧の２相冷媒へと相変換させつつバイパスさせて、蒸発器４を通過した後の低温低圧の気相冷媒に合流させる働きをする。このような構成にて冷媒をバイパスおよび合流させ、バイパスした冷媒の持つ蒸発潜熱を高温高圧冷媒の冷却に利用することによって、サイクル効率を向上させることができる（図１０参照）。また、高温高圧冷媒の冷却量を増大することで、蒸発器４入口における冷媒の乾き度を低く抑えることも可能であり、これによって冷凍効率およびサイクル効率のさらなる改善が図られる。
【００２２】
より詳細には、外側空間Ｓ１内の冷媒の一部は、蒸発器４をバイパスして内側空間Ｓ２に流入するため、蒸発器４での外気との熱交換による冷却量はバイパス量分減少することになるが、内部熱交換器３内でバイパスされた蒸発潜熱を有する２相冷媒によって外側空間Ｓ１内の高温高圧冷媒を高効率で冷却することにより、減少分と同等以上の冷却量を回収できる。そして、さらに、バイパス冷媒の蒸発器通過による圧力損失を減少できる分、冷凍能力及びサイクル効率を向上させることができる。
【００２３】
また、バイパス冷媒の蒸発潜熱を用いて高温高圧冷媒の冷却量を増大するため、内側空間Ｓ２内を流通する気相冷媒の高温高圧冷媒との熱交換による温度上昇は低く抑えることができる。これにより、圧縮機５入口での吸入過熱度の増大を抑制して圧縮機５，吐出ホース等の耐久性低下を抑制でき、また、吸入冷媒密度の低下を抑制して運転効率を高めることもできる。換言すれば、圧縮機入口での吸入過熱度を０付近まで低減するように、バイパス通路Ｂ１の形状（通路断面積、通路長さ等）を設定する（図１０参照）。例えば、バイパスされる高温高圧冷媒流量は、バイパス通路上流側の高温高圧冷媒流量の５〜３５％に設定される。
【００２４】
ところで内部熱交換器３内で高温高圧冷媒のバイパスを行うだけであれば、内管３２の管壁を貫通する孔を形成するだけで済む。因みに、特許第２９８５８８２号には、本発明とは冷凍サイクルが相違するが、内外二重管式の熱交換器において、外管に流通する液相冷媒の一部を内管の管壁を貫通する孔を介してバイパスさせたものが開示されている（蒸発器からの気相冷媒で凝縮器からの液相冷媒を冷却する熱交換器ではなく、本発明の作用・効果は得られない）。しかし、単純に貫通孔を形成した場合、バイパス冷媒の流出方向が内側空間Ｓ２内を流通する気相冷媒の流通方向と直角ないし大きな角度で交差して乱れを生じ、圧力損失が増大して十分にサイクル効率を高めることができないことが懸念される。
【００２５】
これに対し、上記本発明に係るバイパス通路Ｂ１では、バイパス冷媒が内側空間Ｓ２内の気相冷媒の流通方向と同一方向に流出する構成としたため、バイパス冷媒流出時の乱れを抑制でき、圧力損失を抑制して冷凍能力及びサイクル効率を十分に高めることができる。特に、本実施形態では、環状の間隙１１から全周にわたって均一に冷媒を流出させることができるので、乱れ抑制機能が高められる。
【００２６】
さらに、バイパス通路の通路断面積、バイパス流量の設定によっては、同一方向に流出するバイパス冷媒が気相冷媒の流動をアシストするエジェクタ効果を発揮させることも可能となる。エジェクタ効果が発揮された場合は、圧縮機の駆動エネルギを低減でき、冷凍能力及びサイクル効率をさらに高めることができる。
【００２７】
なお、バイパス通路Ｂ１は内管３２の上流側にのみ形成されるのがよい。具体的には、外管３１の液相冷媒出口側の端面から内管３２の下流側に向けて、外管３１の外径（Ｄ）の３倍の長さ（３Ｄ）の範囲内に形成されることが好ましい。このような位置にバイパス通路Ｂ１を形成することにより、内管３２の管壁面上の有効な熱交換面積を十分に確保し、冷媒の熱交換を効率的に行うことができる。
【００２８】
また、内部熱交換器３の内部で分割された内管（内管３２及び気相冷媒流入管８）との間にバイパス通路Ｂ１を形成しているため、以下のように加工も容易でコスト削減を図れる。
【００２９】
例えば、外管内の液相冷媒を内管にバイパスさせない従来構造では、二重管の内管を外管の端面より突き出し、さらにエンドキャップの端壁を貫通させて、外部の気相冷媒流入管と接続する構造となる。また、特許第２９８５８８２号のように内管に管壁を貫通するバイパス孔を設ける場合も、外管の端面より突き出した内管にバイパス孔を形成する構造となる。しかし、この構造では、外管と内管とをそれぞれ異なる端面で切断する加工が必要であり、かつ、エンドキャップに液相冷媒流入管、外管及び突き出した内管との接合部を溶接する他、突き出した内管と気相冷媒流出管との接合部の溶接が必要となる。なお、管壁を貫通するバイパス孔を先に形成した内管と、外管とを接続して二重管を形成する構造では、さらに、二重管の加工が面倒になる。
【００３０】
これに対し、本実施形態では、二重管の内管と外管とを同一の端面で切断すればよく、溶接もエンドキャップに液相冷媒流入管、外管及び気相冷媒流出管との接合部に施せば済み、溶接箇所を減少できる。
【００３１】
図４は、バイパス通路周辺部の内部構造の第２の実施形態を示す断面図である。
本実施形態では、二重管３０の内管３１の内周壁に軸方向に延びる溝３２ｃを、周方向に多数本列設し、気相冷媒流入管８の小径部８Ａの外周面を、該外周面と同一径に形成された内管３２の内周面に接合させたものである。また、気相冷媒流入管８の小径部８Ａと大径部８Ｂとの間の円錐部８Ｃ外周面と溝３２ｃの開口端との間には、バイパス冷媒が適量流通できるように設定した大きさの間隙１２を開けておく。
【００３２】
本実施形態では、間隙１２と、小径部８Ａの外周面と内管３２の内周面との間の溝３２ｃとによって、外側空間Ｓ１と内側空間Ｓ２とを連通するバイパス通路Ｂ２が形成される。
【００３３】
バイパス通路Ｂ２を介して冷媒がバイパスされること、及びこのことによる作用・効果は、上記第１の実施形態と同様であるので記載を省略する（以下の実施形態も同様）。
本実施形態では、気相冷媒流入管８の小径部８Ａを内管３２内に嵌挿させて接合するだけで、気相冷媒流入管８と内管３２との軸心を高精度に一致させることができ、周方向に均一な通路面積を有するバイパス通路Ｂ２を容易に形成することができる。なお、内管３２内周面の溝３２ｃは、ブローチ加工等によって容易に形成できる。
【００３４】
また、溝３２ｃの形成により、熱交換面積が増大して、内部熱交換器３の熱交換能力を増大させることもできる。換言すれば、熱交換能力増大のために溝３２ｃが予め形成されている場合は、この溝を利用、バイパス通路Ｂ２を容易に形成することができる。
【００３５】
図５は、バイパス通路周辺部の内部構造の第３の実施形態を示す断面図である。
本実施形態では、気相冷媒流入管８の小径部８Ａの外周面に軸方向に延びる溝８ａを、周方向に複数本列設し、小径部８Ａの外周面を内管３２の内周面に接合させたものである。また、円錐部８Ｃ外周面と内管３２の端面との間には、バイパス冷媒が適量流通できるように設定した大きさの間隙１３を開けておく。
【００３６】
本実施形態では、間隙１３と溝８ａとによって、外側空間Ｓ１と内側空間Ｓ２とを連通するバイパス通路Ｂ３が形成される。
本実施形態も、第２の実施形態と同様、気相冷媒流入管８の小径部８Ａを内管３２内に嵌挿させて接合するだけで、気相冷媒流入管８と内管３２との軸心を高精度に一致させることができ、周方向に均一な通路面積を有するバイパス通路Ｂ３を容易に形成することができる。小径部８Ａの溝８ａは、絞り加工等によって容易に形成できる。
【００３７】
本発明は、内管と外管内を流れる冷媒を入れ替えた態様も採用可能である。
図６〜図８は、外管３１と内管３２との間の外側空間Ｓ１に低温低圧の気相冷媒を流通させ、内管３２内の内側空間Ｓ２に高温高圧の液相冷媒を流通させてある。
【００３８】
図６において、二重管３０の液相冷媒流出側で気相冷媒流入側の開口端部外周壁に、固定されたエンドキャップ３４には、その端壁を貫通して液相冷媒流出管７の端部が固定され、また、周壁を貫通して気相冷媒流入管８の端部が固定されている。液相冷媒流出管７は、内部熱交換器３内部において、内管３２の一部を構成する。
【００３９】
内側空間Ｓ２内を流通する液相冷媒を、外側空間Ｓ１にバイパスさせるバイパス通路Ｂ４が、以下のように形成されている。
本第４の実施形態は、図３の実施形態に対応するもので、内管３２の端部外周面が、外側に拡開する円錐面にカットされ、該円錐面を、その周方向等間隔（１２０度毎）に３箇所残して係合面３２ｄが形成され、これら係合面３２ｄの相互間を軸方向に所定量カットして、連通溝３２ｅが形成されている。
【００４０】
一方、液相冷媒流出管７は、二重管の内管３２の端部に内部熱交換器３内で接続される端部が、内管３２の外径より所定量大きい内径の大径部７Ａを有し、該大径部７Ａと、内管３２と等しい内外径を有する小径部７Ｂとを結ぶ部分が、前記係合面３２ｄと同一の円錐角を有した円錐部７Ｃに形成されている。
【００４１】
液相冷媒流出管７の円錐部７Ｃの内周面は、内管３２の係合面３２ｄに突き合わせて接合され、これにより、内管３２と液相冷媒流出管７との軸心が一致し、内管３２の端部外周面と液相冷媒流出管７の大径部７Ａの端部内周面との間に環状の間隙１４が形成される。
【００４２】
そして、前記連通溝３２ｅと環状の間隙１３とによって、高温高圧冷媒が流通する内側空間Ｓ２と、外側空間Ｓ１とを連通するバイパス通路Ｂ４が形成される。
図７は、図４の実施形態に対応する第５の実施形態を示し、内管３２の外周面に軸方向に延びる溝３２ｆが周方向に複数本列設され、液相冷媒流出管７端部の内周面と、該内周面と同径に形成された内管３２の外周面と、を接合させている。また、液相冷媒流出管７大径部７Ａと小径部７Ｂとの間の円錐部７Ｃの外周面と、溝３２ｆの開口端との間には、バイパス冷媒が適量流通できるように設定した大きさの間隙１５を開けておく。
【００４３】
本実施形態では、間隙１５と、大径部７Ａの内周面と内管３２の外周面との間の溝３２ｆとによって、内側空間Ｓ２と外側空間Ｓ１とを連通するバイパス通路Ｂ５が形成される。
【００４４】
本実施形態では、図４の実施形態同様、液相冷媒流出管７の大径部７Ａを内管３２に嵌挿させて接合するだけで、内管３２と液相冷媒流出管７との軸心を高精度に一致させることができ、周方向に均一な通路面積を有するバイパス通路Ｂ５を容易に形成することができる。なお、溝３２ｆは、軸方向に貫通していなくても、大径部７Ａの端面より所定量管奥まで形成されていてバイパス冷媒が気相冷媒の流通方向と平行に流出できればよい。
【００４５】
図８は、図５の実施形態に対応する第６の実施形態を示し、液相冷媒流出管７の大径部７Ａの内周面に軸方向に延びる溝７ａが周方向に複数本列設され、該大径部７Ａの内周面と内管３２の外周面とを接合させている。また、円錐状９Ｃ内周面と内管３２の端面との間に、バイパス冷媒が適量流通できるように設定した大きさの間隙１５を開けておくことは、第５の実施形態同様である。
【００４６】
本実施形態では、間隙１５と溝７ａとによって、内側空間Ｓ２と外側空間Ｓ１とを連通するバイパス通路Ｂ６が形成される。
本実施形態も、図４及び図７の実施形態同様、液相冷媒流出管７の大径部７Ａを内管３２に嵌挿させて接合するだけで、内管３２と液相冷媒流出管７の軸心を高精度に一致させることができ、周方向に均一な通路面積を有するバイパス通路６を容易に形成することができる。
【００４７】
また、以上の実施形態では、内部熱交換器３内の液相冷媒流出管７または気相冷媒流入管８を、分割された内管として内管３２と接続してバイパス通路Ｂを形成したが、内管３２を分割せずにバイパス通路Ｂを形成する構成とすることも可能である。
【００４８】
例えば、図９（Ａ）に示すように、内側空間Ｓ２を高温高圧の液相冷媒が流通する内管３２の周囲に断続的に形成した複数個の連通孔３２ｇと、内管３２の外周に嵌挿して固定した管部材５１の内側の環状の間隙、又は、この部分に形成した軸方向に延びる複数本の溝５１ａとで、バイパス通路Ｂ７を形成している。
【００４９】
また、同図（Ｂ）では、外側空間Ｓ１を高温高圧の液相冷媒が流通する内管３２の周囲に断続的に形成した複数個の連通孔３２ｈと、内管３２の内周に嵌挿して固定した管部材６１の外側の環状の間隙、又は、この部分に形成した軸方向に延びる複数本の溝６１ａとで、バイパス通路Ｂ８を形成している。
【産業上の利用可能性】
【００５０】
本発明に係る冷凍サイクル装置は、車両用空調装置の蒸気圧縮式冷凍サイクル等に広く用いられる。
【符号の説明】
【００５１】
１  冷凍サイクル装置
２  凝縮器
３  内部熱交換器
４  蒸発器
５  圧縮機
６  液相冷媒流入管
７  液相冷媒流出管
７Ａ  大径部
７Ｂ  小径部
７Ｃ  円錐部
７ａ  溝
８  気相冷媒流入管
８Ａ  小径部
８Ｂ  大径部
８Ｃ  円錐部
８ａ  溝
９  気相冷媒流出管
１１、１２，１３  間隙
３１  外管
３２  内管
３２ａ、３２ｄ  係合面
３２ｂ、３２ｅ  連通溝
３２ｃ、３２ｆ  溝
３３、３４  エンドキャップ
３２ｇ、３２ｈ  連通孔
５１ａ、６１ａ  環状の間隙または軸方向に延びる溝
Ｂ，Ｂ１〜Ｂ６  バイパス通路
【図１】
2012163281.tif 000003
【図２】
2012163281.tif 000004
【図３】
2012163281.tif 000005
【図４】
2012163281.tif 000006
【図５】
2012163281.tif 000007
【図６】
2012163281.tif 000008
【図７】
2012163281.tif 000009
【図８】
2012163281.tif 000010
【図９】
2012163281.tif 000011
【図１０】
2012163281.tif 000012